(57)【要約】【課題】  本発明は、既存のガードレールや塀などを利用して低コストで信頼性の高い止水ができる止水構造物を提供する。【解決手段】  本発明は、支柱に取り付けられる基端部材と、収納／展開が可能な止水シートと、錘を有し、前記止水シートの一端側に前記基端部材が取り付けられ、他端側に前記錘が取り付けられていることを特徴とする止水構造物とした。【選択図】  図１
2018087430.tif 000002
【特許請求の範囲】
【請求項１】
支柱に取り付けられる基端部材と、
収納／展開が可能な止水シートと、
錘を有し、
前記止水シートの一端側に前記基端部材が取り付けられ、他端側に前記錘が取り付けられていることを特徴とする止水構造物。
【請求項２】
前記止水シートが、折り畳み式で収納されることを特徴とする請求項１に記載の止水構造物。
【請求項３】
前記止水シートが、巻き取り式で収納されることを特徴とする請求項１に記載の止水構造物。
【請求項４】
前記基端部材を既存構造物に装着するための装着部材を更に有することを特徴とする請求項１の止水構造物。
【請求項５】
前記既存構造物が、ガードレールであることを特徴とする請求項４に記載の止水構造物。
【請求項６】
複数の第２の支柱を更に有し、
前記基端部材が前記第２の支柱に取り付けられていることを特徴とする請求項１〜４のいずれか一項に記載の止水構造物。
【請求項７】
前記第２の支柱がガードレールに沿って立設されていることを特徴とする請求項６に記載の止水構造物。
【発明の詳細な説明】
【技術分野】
【０００１】
本発明は、止水構造物に関する。
【背景技術】
【０００２】
特許文献１は、安全ための防護機能と止水のための止水機能を有する跳上式の防水防護柵を開示する。特許文献１では、増水時には可動堰板を降ろすことで止水が可能であり、通常時は、可動堰板を上げることで、視界・風通しが良くなり、生態系を損なわない。
【先行技術文献】
【特許文献】
【０００３】
【特許文献１】特開２００１−１８２０２７号公報
【発明の概要】
【発明が解決しようとする課題】
【０００４】
特許文献１の防水防護柵は、既存の構造物（ガードレール等）を利用しないため、堅牢な造作が必要で、コストが高くなる。また、跳上のための構造が複雑であり、故障し易く、コストが一層高くなる。
【０００５】
本願は、既存のガードレールや塀などを利用して低コストで止水ができる止水構造物を開示する。
【課題を解決するための手段】
【０００６】
本願は、支柱に取り付けられる基端部材と、収納／展開が可能な止水シートと、錘を有し、前記止水シートの一端側に前記基端部材が取り付けられ、他端側に前記錘が取り付けられていることを特徴とする止水構造物を開示する。
【図面の簡単な説明】
【０００７】
【図１】図１は、本発明の一実施形態に係る止水構造物１０を示す。
【図２】図２は、上方から見た止水構造物１０を示す。
【図３】図３は、収納した状態の止水構造物１０を横断面で示す。
【図４】図４は、展開した状態の止水構造物１０を横断面で示す。
【図５】図５は、装着部材１１の形状を示す。
【図６】図６は、基端部材１２の形状を示す。
【図７】図７は、他の実施形態の止水構造物１０Ａを示す。
【図８】図８は、他の実施形態の止水構造物１０Ｂを示す。
【図９】図９は、他の実施形態の止水構造物１０Ｃを示す。
【発明を実施するための形態】
【０００８】
図１〜図４は、ガードレール１を利用した止水構造物１０を示す。ガードレール１は、例えば、路肩（地面）等に立設された複数の支柱２と支柱２に支持されるガード板３を有する。
【０００９】
止水構造物１０は、装着部材１１と、基端部材１２と、止水シート１３と、錘１４と、結束部材１５を有する。
【００１０】
装着部材１１は、支柱２に基端部材１２を取り付けるための部材である。図５は、例示的な装着部材１１を示す。本図の装着部材１１は、支柱２に装着可能なリング１１ａと、ボルト等の固定具１１ｂと、基端部材１２を係合する２つの係合突起１１ｃを有する。
【００１１】
基端部材１２は、装着部材１１を介して支柱２に支持される。図６は、例示的な基端部材１２を示す。図の基端部材１２は、棒状の本体１２ａとその両端の係合穴１２ｂを有する。円柱状の本体１２ａを示すが、他の形状も可能である。係合穴１２ｂは、係合突起１１ｃに相補的な形状とするとよい。係合突起１１ｃと係合穴１２ｂを非円形（例えば、多角形）断面とすると、基端部材１２が回転不能に保持され、止水シート１３の折り畳みが容易である。本体１２ａを貫通する係合穴１２ｂを設けると基端部材１２を軽量化できるのでよい。
【００１２】
止水シート１３は、展開／収納が可能なシート状の部材である。止水シート１３は、耐水強度や耐候性等を高めたポリエチレンやビニール等を使用するとよい。本例の止水シート１３は、折り畳み式で収納される。止水シート１３の一端側１３ａには基端部材１２が固定され、他端側１３ｂには錘１４が固定さている。固定の方法は、しっかりと外れないようにできるなら、カシメ、鋲、ボルト、接着剤、縫付等任意の方法でよい。止水シート１３は、止水が必要な総延長をカバーするのに充分な幅寸法（例えば、支柱２の数本〜数十本分の長さ）を有する。止水シート１３の縦寸法は、一端１３ａの高さＨ（図３）より充分に長い。
【００１３】
錘１４は、止水シート１３を展開するのに十分な重さを有する部材である。錘１４は、砂袋とするのが便宜である。錘１４は、止水シート１３の幅寸法と同じ長さを有するとよい。基端部材１２と同程度の長さとしてもよい。より短い（例えば、ブロック状の）多数の錘１４を一定距離毎に取り付けてもよい。
【００１４】
結束部材１５は、止水シート１３を収納した状態に保持する部材である。ヒモ状の結束部材１５を図に示すが、袋状等他の形態でもよい。ヒモ状は、切断しやすいので便宜である。結束部材１５は、合成繊維や針金等、耐環境性や引張強度の高い部材を使うのがよい。
【００１５】
平時は、図３のように止水シート１３を収納した状態にする。収納時の折り畳みは、手作業で行ってもよく、ブラインド（プリーツスクリーン等）のように昇降コードを引くことで折り畳む方式にしてもよい。増水時には、結束部材１５の結束を解くことで、図４のように錘１４によって止水シート１３が展開し、止水することができる。例えば、結束部材１５を切断すれば、迅速に結束を解くことができる。
【００１６】
止水構造物１０では、既存のガードレール１を利用して簡便で安価に止水を提供でき、また、結束部材１５の結束を解くだけなので、迅速に止水でき、故障の懸念も少ない。ガードレール１は十分な強度を有するので大水圧にも耐えられる。装着部材１１と基端部材１２が別体で組立式なので、ガードレール１への取り付け作業が非常に容易である。装着部材１１と基端部材１２を単一の部材にすることも可能である。止水構造物１０は、止水の必要性が高い河川や海沿いの道路のガードレール１に取り付けるとよいが、他の場所でもよい。
【００１７】
図７は、他の実施形態の止水構造物１０Ａを示す。止水構造物１０Ａは、基端部材１２に巻き取ることで止水シート１３を収納する点が止水構造物１０と異なる。巻き取りの容易化や展開の迅速化のため、基端部材１２を装着部材１１に対して回転可能にするとよい。この場合、係合突起１１ｃと係合穴１２ｂの断面形状を円形にするとよい。
【００１８】
図８は、他の実施形態の止水構造物１０Ｂを示す。止水構造物１０Ｂは、ガードレール１の代わりに家屋４等の塀５に装着部材１７を用いて取り付けられている点が止水構造物１０と異なる。このように、止水構造物１０，１０Ａ，１０Ｂは、種々の既存構造物に取り付けることができる。装着部材１７の構造や形状等は、塀５の形状等に応じて適合させるとよい。
【００１９】
図９は、他の実施形態の止水構造物１０Ｃを示す。止水構造物１０Ｃは、道路の長手方向に等間隔又は不等間隔で路肩（地面）等に立設された複数の第２の支柱１６に基端部材１２が取り付けられている点が止水構造物１０と異なる。よって、ガードレール１などの既存構造物を要しない。ただし、図のように、止水構造物１０Ｃをガードレール１に沿って（隣接して）設置する方が好ましく、増水時の水圧で第２の支柱１６が倒れてもガードレール１で支持できるので信頼性が高くなる。
【００２０】
上記実施形態に記載した止水構造物の構成要素やその寸法、形状、配置、個数、材料等は、例示であり、他の態様も可能である。
【００２１】
本発明の止水構造物は、洪水、高波、津波、増水等に対して止水を提供し、家屋や街等を守ることができる。
【符号の説明】
【００２２】
１・・・ガードレール
２・・・支柱
３・・・ガード板
４・・・家屋
５・・・塀
１０，１０Ａ，１０Ｂ，１０Ｃ・・・止水構造物
１１，１７・・・装着部材
１２・・・基端部材
１３・・・止水シート
１４・・・錘
１５・・・結束部材
１６・・・第２の支柱
【図１】
2018087430.tif 000003
【図２】
2018087430.tif 000004
【図３】
2018087430.tif 000005
【図４】
2018087430.tif 000006
【図５】
2018087430.tif 000007
【図６】
2018087430.tif 000008
【図７】
2018087430.tif 000009
【図８】
2018087430.tif 000010
【図９】
2018087430.tif 000011